(57)【特許請求の範囲】
【請求項１】
クリーニングされる衣服に取り付けられた帯状紙片を切り取ってなる帯状のタグＡを保持するタグ装着機構を有し、該タグ装着機構の一側及び他側に、前記タグＡの幅方向一側を係止する第１の支持部及び前記タグＡの幅方向他側を係止する第２の支持部がそれぞれ形成されたハンガーであって、
前記タグ装着機構は、クリーニングされる衣服に取り付けられた帯状紙片を切り取ってなり、前記タグＡより幅が広い帯状のタグＢの幅方向一側を、該タグ装着機構の一側に形成された第３の支持部によって係止し、前記タグＢの幅方向他側を、前記第２の支持部によって係止して、前記タグＢを保持することを特徴とするハンガー。
【請求項２】
クリーニングされる衣服に取り付けられた帯状紙片を切り取ってなる帯状のタグＡを保持するタグ装着機構を有し、該タグ装着機構の一側及び他側に、前記タグＡの幅方向一側を係止する第１の支持部及び前記タグＡの幅方向他側を係止する第２の支持部がそれぞれ形成されたハンガーであって、
前記タグ装着機構は、クリーニングされる衣服に取り付けられた帯状紙片を切り取ってなり、前記タグＡより幅が広い帯状のタグＢの幅方向一側を、該タグ装着機構の一側に形成された第３の支持部によって係止し、前記タグＢの幅方向他側を、該タグ装着機構の他側に形成された第４の支持部によって係止して、前記タグＢを保持することを特徴とするハンガー。
【請求項３】
請求項１又は２記載のハンガーにおいて、前記第３の支持部は前記第１の支持部から間隔を空けて配置され、前記タグ装着機構の一側には、前記第１、第３の支持部の間に、前記タグＡの幅方向一側を前記第３の支持部から前記第１の支持部に案内するガイド部が形成されていることを特徴とするハンガー。
【請求項４】
請求項１〜３のいずれか１項に記載のハンガーにおいて、前記タグ装着機構は、該ハンガーのフックの背面側に設けられていることを特徴とするハンガー。
【請求項５】
請求項４記載のハンガーにおいて、前記フックの側面側に、前記タグＡ又は前記タグＢが取り付けられる側面側タグ装着機構が形成されていることを特徴とするハンガー。
【発明の詳細な説明】
【技術分野】
【０００１】
本発明は、タグが取り付け可能な衣服用のハンガーに関する。
【背景技術】
【０００２】
複数の店舗からクリーニング工場に集められた衣服は、店舗情報や顧客情報を印刷した帯状紙片が取り付けられてクリーニングされ、ハンガーに掛けられた後、袋を被せられる。衣服に取り付けられていた帯状紙片は、衣服に袋を被せる前に略半分が切り取られ、この切り取られた略半分（以下、「タグ」という）は、ハンガーの衣服に被せた袋で覆われない部分に取り付けられる。そして、袋を被せた衣服は、ハンガーに取り付けられたタグに印刷されている店舗情報や顧客情報を基にして、店舗ごとあるいは顧客ごとに分けられる。
【０００３】
ところで、近年、環境保全の観点から、物の再利用に社会の関心が寄せられている。クリーニング業界で使用されているハンガーも、その例外ではなく、顧客からハンガーを回収し再利用する店舗が多い。
ハンガーにタグが取り付けられている場合、店舗等でそのタグを取り外した後にハンガーを再利用する。そして、タグが粘着テープによりハンガーに取り付けられていると、ハンガーのタグを取り除いた箇所に粘着成分が残り、ハンガーの再利用を妨げることになる。
【０００４】
そこで、粘着テープを用いることなくタグを取り付け可能なハンガーが求められ、その具体例が特許文献１、２に開示されている。特許文献１、２の各ハンガーは、粘着テープを用いることなくタグを取り付け可能なタグ装着機構（引用文献１では「タック装着部」として記され、引用文献２では「タグ取付部」として記されている）を備えている。
【先行技術文献】
【特許文献】
【０００５】
【特許文献１】実用新案登録第３１０６７４０号公報
【特許文献２】特開２００４−２３６９７８号公報
【発明の概要】
【発明が解決しようとする課題】
【０００６】
日本国のクリーニング業界では、バーコードが印字された約１２ｍｍ幅の帯状紙片とバーコードが印字されていない約１０ｍｍ幅の帯状紙片が多く利用されている。このため、タグが取り付け可能なハンガーには、少なくとも、約１２ｍｍ幅のタグを固定するタグ装着機構を備えたものと、約１０ｍｍ幅のタグを固定するタグ装着機構を備えたものが必要となり、金型によってハンガーを製造する製造現場においては、ハンガーの種類ごとに金型が必要となる。
【０００７】
従って、タイプの異なる衣服ごとに、幅の異なるタグ用に２種類のハンガーを製造しようとすると、多くのパターンの金型が必要となって、経済的負担が大きくなる。
本発明は、かかる事情に鑑みてなされるもので、幅の異なるタグを取り付け可能なハンガーを提供することを目的とする。
【課題を解決するための手段】
【０００８】
前記目的に沿う第１の発明に係るハンガーは、クリーニングされる衣服に取り付けられた帯状紙片を切り取ってなる帯状のタグＡを保持するタグ装着機構を有し、該タグ装着機構の一側及び他側に、前記タグＡの幅方向一側を係止する第１の支持部及び前記タグＡの幅方向他側を係止する第２の支持部がそれぞれ形成されたハンガーであって、前記タグ装着機構は、クリーニングされる衣服に取り付けられた帯状紙片を切り取ってなり、前記タグＡより幅が広い帯状のタグＢの幅方向一側を、該タグ装着機構の一側に形成された第３の支持部によって係止し、前記タグＢの幅方向他側を、前記第２の支持部によって係止して、前記タグＢを保持する。
【０００９】
前記目的に沿う第２の発明に係るハンガーは、クリーニングされる衣服に取り付けられた帯状紙片を切り取ってなる帯状のタグＡを保持するタグ装着機構を有し、該タグ装着機構の一側及び他側に、前記タグＡの幅方向一側を係止する第１の支持部及び前記タグＡの幅方向他側を係止する第２の支持部がそれぞれ形成されたハンガーであって、
前記タグ装着機構は、クリーニングされる衣服に取り付けられた帯状紙片を切り取ってなり、前記タグＡより幅が広い帯状のタグＢの幅方向一側を、該タグ装着機構の一側に形成された第３の支持部によって係止し、前記タグＢの幅方向他側を、該タグ装着機構の他側に形成された第４の支持部によって係止して、前記タグＢを保持する。
【００１０】
第１、第２の発明に係るハンガーにおいて、前記第３の支持部は前記第１の支持部から間隔を空けて配置され、前記タグ装着機構の一側には、前記第１、第３の支持部の間に、前記タグＡの幅方向一側を前記第３の支持部から前記第１の支持部に案内するガイド部が形成されているのが好ましい。
【００１１】
第１、第２の発明に係るハンガーにおいて、前記タグ装着機構は、該ハンガーのフックの背面側に設けられているのが好ましい。
【００１２】
第１、第２の発明に係るハンガーにおいて、前記フックの側面側に、前記タグＡ又は前記タグＢが取り付けられる側面側タグ装着機構が形成されているのが好ましい。
【発明の効果】
【００１３】
第１の発明に係るハンガーは、帯状のタグＡを保持するタグ装着機構を有し、タグ装着機構の一側及び他側に、タグＡの幅方向一側を係止する第１の支持部及びタグＡの幅方向他側を係止する第２の支持部がそれぞれ形成され、タグ装着機構が、タグＡより幅が広い帯状のタグＢの幅方向一側を、タグ装着機構の一側に形成された第３の支持部によって係止し、タグＢの幅方向他側を、第２の支持部によって係止して、タグＢを保持するので、幅の異なるタグＡ、Ｂを取り付けることが可能である。
【００１４】
また、第２の発明に係るハンガーは、帯状のタグＡを保持するタグ装着機構を有し、タグ装着機構の一側及び他側に、タグＡの幅方向一側を係止する第１の支持部及びタグＡの幅方向他側を係止する第２の支持部がそれぞれ形成され、タグ装着機構が、タグＡより幅が広い帯状のタグＢの幅方向一側を、タグ装着機構の一側に形成された第３の支持部によって係止し、タグＢの幅方向他側を、タグ装着機構の他側に形成された第４の支持部によって係止して、タグＢを保持するので、幅の異なるタグＡ、Ｂを取り付けることが可能である。
【図面の簡単な説明】
【００１５】
【図１】本発明の第１の実施の形態に係るハンガーの側面図である。
【図２】同ハンガーの背面図である。
【図３】タグＡ、Ｂをタグ装着機構に取り付けた状態を示す説明図である。
【図４】複数のハンガーを段積みした状態を示す説明図である。
【図５】複数のハンガーを段積みした状態を示す説明図である。
【図６】複数のハンガーを段積みした状態を示す説明図である。
【図７】本発明の第２の実施の形態に係るハンガーの説明図である。
【発明を実施するための形態】
【００１６】
続いて、添付した図面を参照しつつ、本発明を具体化した実施の形態につき説明し、本発明の理解に供する。
図１〜図３に示すように、本発明の第１の実施の形態に係るハンガー１０は、帯状のタグ１１（タグＡ、約１０ｍｍ幅のタグ）を保持するタグ装着機構１２を有し、タグ装着機構１２の一側及び他側に、タグ１１の幅方向一側を係止する支持部１３（第１の支持部）及びタグ１１の幅方向他側を係止する支持部１４（第２の支持部）がそれぞれ形成されている。以下、詳細に説明する。
【００１７】
プラスチックからなるハンガー１０は、全体が金型によって一体的に形成され、図１に示すように、フック１５と、フック１５に連続して形成された前後に長い襟支持体１６を備えている。襟支持体１６の前側及び後側には、前方斜め下に延伸した肩支持体１７、及び、後方斜め下に延伸した肩支持体１７ａがそれぞれ連結され、肩支持体１７の下端は、前後に長いズボン掛け体１８によって、肩支持体１７ａの下端に接続されている。
【００１８】
フック１５は、フック１５の先側に配置されたＵ字状片１９、及び、Ｕ字状片１９に上端が連結された上下に長いストレート片２０を備え、更に、フック１５には、襟支持体１６に連結された基側に、ストレート片２０の下端に連続する曲線片２１が設けられている。
ストレート片２０は、図１、図３に示すように、２つの貫通孔２２、２２ａが上下にそれぞれ形成された上下に長い肉薄部２３と、肉薄部２３の幅方向一側及び他側にそれぞれ連続して形成されたリブ２４、２４ａを備えている。リブ２４、２４ａは、肉薄部２３より厚みがあって、上下方向に設けられ、ストレート片２０は、リブ２４、２４ａ及び肉薄部２３により、図３に示すように、平断面Ｉ字状に形成されている。
【００１９】
そして、ストレート片２０には、フック１５の一方の側面側（左側）、及び、フック１５の他方の側面側（右側）に、それぞれ側面側タグ装着機構２５、２５ａが形成されている。
側面側タグ装着機構２５（側面側タグ装着機構２５ａについても同じ）は、肉薄部２３を溝底とし、リブ２４、２４ａを側壁とする溝状の構造体であり、ストレート片２０に沿って上下方向に設けられている。
【００２０】
側面側タグ装着機構２５の側壁であるリブ２４、２４ａにはそれぞれ、側面側タグ装着機構２５の幅方向内側に突出した上下に長い突起２８、２８ａが設けられている。側面側タグ装着機構２５において、側壁の突起２８、２８ａが形成されていない領域は、一側の側壁と他側の側壁の間に距離Ｌが確保されている。
側面側タグ装着機構２５は、距離Ｌより幅が広い帯状のタグ２７（タグＢ、約１２ｍｍ幅のタグ）を、一側の側壁の突起２８のない領域と他側の側壁の突起２８ａのない領域で挟んで保持することができる。
【００２１】
タグ２７は、タグ１１より幅が広く、側面側タグ装着機構２５（側面側タグ装着機構２５ａについても同じ）内に指等で押し込まれることにより、突起２８、２８ａより肉薄部２３に近い位置で固定されて、側面側タグ装着機構２５に取り付けられる。タグ２７は、Ｌより幅が広いため、湾曲した状態で側面側タグ装着機構２５に取り付けられる。
そして、側面側タグ装着機構２５に取り付けられたタグ２７は、突起２８、２８ａによって、側面側タグ装着機構２５から外れ落ちるのを抑制された状態となっている。
突起２８、２８ａは、側面側タグ装着機構２５ａの両側の側壁にもそれぞれ設けられている（即ち、リブ２４に２つの突起２８が設けられ、リブ２４ａに２つの突起２８ａが設けられている）。
【００２２】
側面側タグ装着機構２５、２５ａに取り付けられたタグ２７の取り外しは、貫通孔２２、２２ａを挿通させた指等でタグ２７を溝底側から押圧することによって、容易に行うことができる。
なお、本実施の形態では、側面側タグ装置機構２５、２５ａは、タグ１１を取り付けることができないが、Ｌを短くすることによりタグ１１を取り付け可能な側面側タグ装置機構を設けることが可能である。
【００２３】
また、フック１５の背面側には、図１〜図３に示すように、タグ１１及びタグ２７を取り付け可能なタグ装着機構１２が形成されている。ここで、フック１５は、平面視して、Ｕ字状片１９の先端がある側を前側とし、Ｕ字状片１９の基端がある側を背面側（後側）とする。
タグ装着機構１２は、図１、図２に示すように、ストレート片２０の背面側にストレート片２０に沿って上下に長く設けられ、タグ１１をタグ１１の長手方向が上下に沿った状態で保持できる形状に設計されている。
【００２４】
タグ装着機構１２は、図２、図３に示すように、それぞれ基側（右側）がストレート片２０のリブ２４ａに連結された左右に長い複数（本実施の形態では３つ）のブリッジ３０と、タグ装着機構１２の左側（タグ装着機構１２の一側）に配置された上下に長い係止片３１を備えている。複数のブリッジ３０は、上下に間隔を空けて配置され、各ブリッジ３０の先側（左側）は係止片３１に接続されている。
【００２５】
タグ装着機構１２には、図２に示すように、この複数のブリッジ３０及び係止片３１に加え、この複数のブリッジ３０からなるブリッジ群より高い位置及び低い位置にそれぞれ設けられた補助片３２、３３を備えている。
補助片３２、３３は、右側がストレート片２０のリブ２４ａにそれぞれ連結され、左側が係止片３１の上下にそれぞれ接続されている。補助片３２、３３はそれぞれ、各ブリッジ３０と比較して、上下幅が長く剛性が高い設計になっている。
【００２６】
複数のブリッジ３０及び補助片３２、３３は、それぞれ所定の間隔を空けて上下に並べられ、本実施の形態では、それぞれ右半分がストレート片２０のリブ２４ａに連結されている。複数のブリッジ３０及び補助片３２、３３のそれぞれの左半分は、ストレート片２０のリブ２４ａに非連結であり、隣り合う補助片３２の左半分とブリッジ３０の左半分の間、隣り合うブリッジ３０の左半分の各間、及び、隣り合うブリッジ３０の左半分と補助片３３の左半分の間には、貫通孔３４がそれぞれ形成されている。
【００２７】
複数のブリッジ３０及び補助片３２、３３によって支持された係止片３１は、図２に示すように、上下に長い複数の支持部３５（第３の支持部）を後側に備えている。間隔を空けて上下に並べられた複数の支持部３５はそれぞれ、図３に示すように、タグ装着機構１２の幅方向中心（右）に向かって突出した突起３６を有し、その突起３６は上下に沿って形成されている。
【００２８】
係止片３１は、この複数の支持部３５に加え、係止片３１の前側に配置された上下に長い複数の支持部１３を備えている。複数の支持部１３は、複数の支持部３５が設けられている位置の前方で、その複数の支持部３５が設けられている位置まで距離を有する位置に配置されている。因って、複数の支持部３５は複数の支持部１３から間隔を空けて配置されていることになる。
各支持部１３は、タグ装着機構１２の幅方向中心（右）に向かって突出する突起３７を備えている。各突起３７は、各突起３６と同方向に突出している。
【００２９】
また、タグ装着機構１２は、図２、図３に示すように、右側（タグ装着機構１２の他側）に、それぞれ上下に長い複数の支持部１４を有している。複数の支持部１４は、間隔を空けて上下に並べられ、各支持部１４は、図３に示すように、タグ装着機構１２の幅方向中心（左）に向かって突出した突起３８を、後側に備えている。複数の突起３６、３７とは逆方向に突出した複数の突起３８は、それぞれ複数の突起３７より前方に位置し、各支持部１４は、突起３８が形成されている領域より前側の部位が、ストレート片２０のリブ２４ａに連結されている。
【００３０】
支持部１３、１４、３５は、図３に示すように、平面視して、支持部１３と支持部１４の距離が、支持部３５と支持部１４の距離より短くなる位置にそれぞれ配置されている。
支持部１３、１４、３５がこのように配置されているため、タグ装着機構１２は、タグ２７の幅方向一側を複数の支持部３５によって係止し、タグ２７の幅方向他側を複数の支持部１４によって係止することによりタグ２７を保持することができ、更に、タグ１１の幅方向一側を複数の支持部１３によって係止し、タグ１１の幅方向他側を複数の支持部１４によって係止することによりタグ１１を保持することができる。
【００３１】
なお、タグ装着機構１２は、この形状に限定されず、例えば、本実施の形態に対して前後方向中心を基準にして左右を逆にした形状に設計してもよい。
ここで、複数の支持部３５によるタグ２７の幅方向一側の係止とは、タグ２７の幅方向一側が当接した複数の支持部３５とタグ２７との間に生じる摩擦力によって、タグ２７の幅方向一側を固定することを意味する。これは、複数の支持部１４によるタグ２７の幅方向他側の係止や、複数の支持部１３によるタグ１１の幅方向一側の係止についても同じである。
【００３２】
このように、ハンガー１０は、タグ１１又はタグ２７のいずれかを保持可能なタグ装着機構１２と、タグ２７を保持可能な側面側タグ装着機構２５、２５ａを備えている。因って、ハンガー１０の運用に合わせて、タグ１１又はタグ２７をハンガー１０に取り付けるものとして選択でき、更に、タグ２７については、その取り付け場所として、タグ装着機構１２、側面側タグ装着機構２５、２５ａのいずれかを選ぶことが可能である。
【００３３】
タグ２７のタグ装着機構１２への取り付け方法を以下に説明する。
まず、タグ２７を、タグ２７の幅方向一側が複数の支持部３５に後から当接し、タグ２７の幅方向他側が、複数の支持部１４の突起３８より前側かつタグ装着機構１２の幅方向内側の部位に接触する位置に配置する。
そして、指等でタグ２７を前方に押し、タグ２７の幅方向一側を、複数の支持部３５の各突起３６の後方から前方に移動させて、複数の支持部３５の各突起３６の前側に接触させ、タグ２７を複数の支持部１４と複数の支持部３５で挟持させた状態にし、タグ２７のタグ装着機構１２への取り付けが完了する。
【００３４】
ここで、前方に押されて、幅方向一側が複数の支持部３５の各突起３６の後方から前方に移動するタグ２７は、複数のブリッジ３０に接触した状態となって、幅方向一側が支持部３５の各突起３６の前側に接触する。本実施の形態では、タグ装着機構１２への取り付けが完了し、前方に押されなくなったタグ２７は、複数のブリッジ３０のいずれにも非接触な状態となってタグ装着機構１２に固定されるが、タグ装着機構１２は、前方に押されなくなったタグ２７が複数のブリッジ３０に接触した状態を維持するように設計されていてもよい。
【００３５】
複数の支持部３５の各突起３６より前側は、タグ２７の幅方向一側が接触する部分が、前に向かって左（タグ装着機構１２の幅方向外側）に傾斜する形状に形成されている。
複数の支持部３５の各突起３６より前側の部位と複数の支持部１４の各突起３８より前側の部位の距離は、タグ２７の幅より短く、タグ装着機構１２に取り付けられたタグ２７は、湾曲した状態となる。
【００３６】
次に、タグ１１のタグ装着機構１２への取り付け方法を説明する。
タグ１１は、タグ１１の幅方向一側が複数の支持部３５の後方に位置し、タグ１１の幅方向他側が各突起３８より前側で複数の支持部１４に接触する位置に配置された状態で、指等で前方に押される。前方に押されたタグ１１は、タグ１１の幅方向一側が、複数の支持部３５より前方に移動し、複数の支持部１３の各突起３７に後から接触した状態になる。更に、タグ１１は、前方に押されることで、複数の支持部１３の各突起３７より前方に移動し、複数の支持部１３の各突起３７の前側かつタグ装着機構１２の幅方向内側の部位に接触する。これにより、タグ１１は、図３に示すように、幅方向両側をそれぞれ複数の支持部１３と複数の支持部１４で挟持された状態となり、タグ装着機構１２へのタグ１１の取り付けが完了する。
【００３７】
タグ装着機構１２に取り付けられたタグ１１が接触する複数の支持部１３の各突起３７の前側及び複数の支持部１４の各突起３８の前側の距離は、タグ１１の幅より短いため、タグ装着機構１２に取り付けられたタグ１１は、タグ２７と同様に、湾曲した状態になる。タグ１１も、タグ２７と同様に、前向きの力が作用している際に複数のブリッジ３０に、一旦接触し、その力が作用しなくなった時点で、複数のブリッジ３０のいずれにも非接触な状態となって、タグ装着機構１２に固定されるが、タグ装着機構１２は、タグ１１が前方に押されなくなった後も複数のブリッジ３０に接触した状態を維持する形状に、設計されていてもよい。
そして、タグ装着機構１２は、フック１５の背面側に配置され、タグ１１（タグ２７についても同じ）に印刷された店舗情報や顧客情報がフック１５の背面側から視認可能な角度で、タグ１１を保持することができる。
【００３８】
ここで、係止片３１（即ち、タグ装着機構１２の一側）には、複数の支持部１３と複数の支持部３５の間に、タグ１１のタグ装着機構１２への取り付けの際に、タグ１１の幅方向一側を複数の支持部３５から複数の支持部１３へ案内するガイド部３９が形成されている。
ガイド部３９は、前方に押されて複数の支持部３５を通過したタグ１１の幅方向一側が接触する右斜め前方に傾斜した部位を備えている。ガイド部３９のその右斜め前方に傾斜した部位は、平面視して、複数の突起３７に連続する位置に配置されている。従って、ガイド部３９のこの右斜め前方に傾斜した部位に幅方向一側が接触したタグ１１（即ち、複数の支持部１３と複数の支持部３５の間に幅方向一側が配置されたタグ１１）は、指等で前方に押圧されることによって、幅方向一側が、このガイド部３９の右斜め傾斜した部位により複数の支持部１３に円滑に案内される。
【００３９】
タグ装着機構１２に取り付けられたタグ１１は、複数の貫通孔３４のいずれか１、あるいは、２以上に指を挿通させ、その指でタグ１１を押すことで、容易にタグ装着機構１２から取り外すことができ、これについては、タグ２７についても同様である。
ここで、本実施の形態では、支持部１４と支持部３５が同数であり、支持部１４より１つ少ない支持部１３が係止片３１に設けられているが、これに限定されない。例えば、支持部１３、１４、３５の数がそれぞれ異なっていてもよいし、同数の支持部１３、１４、３５がタグ装着機構１２に形成されていてもよい。
そして、本実施の形態では、支持部１３、１４、３５で、それぞれ上下の長さが異なり、支持部１３の上下方向中心と支持部１４の上下方向中心は異なる高さに位置しているが、これらに限定されないことはいうまでもない。
【００４０】
また、ハンガー１０は、図４〜図６に示すように、複数のハンガー１０を、隣り合うハンガー１０の一方のハンガー１０の右側と他方のハンガー１０の左側を接触させた状態にして、段積み（重ね積み）にすることにより、各ハンガー１０が水平に保たれる形状を備えている。
従って、複数のハンガー１０は、安定的に段積みにすることができ、更に、段積みにされた複数のハンガー１０は、空間占有率が抑制され、段積みにした個々のハンガーが水平に保たれない場合に比べ、所定の大きさの容器に多くのハンガー１０を収容可能である。
なお、図５は、上下に隣り合うブリッジ３０の間の高さ位置で、タグ装着機構１２及びストレート片２０を切断したイメージの説明図であり、図６は、ブリッジ３０の配置高さで、タグ装着機構１２及びストレート片２０を切断したイメージの説明図である。
【００４１】
ここまで説明したハンガー１０は、支持部１４が、タグ装着機構１２に取り付けられるタグ１１の幅方向他側の係止と、タグ装着機構１２に取り付けられるタグ２７の幅方向他側を係止とに兼用されるが、これに限定されず、タグ１１の幅方向他側を係止する支持部とタグ２７の幅方向他側を係止する支持部をそれぞれ別個に設けてもよい。
以下、タグ１１の幅方向他側を係止する支持部とは別に、タグ２７の幅方向他側を係止する支持部を設けた本発明の第２の実施の形態に係るハンガー５０について説明する。なお、ハンガー５０において、ハンガー１０と同じ構成については、ハンガー１０と同じ符号を付して詳しい説明は省略する。
【００４２】
ハンガー５０は、図７に示すように、フック１５のストレート片２０に連続して形成された上下に長いタグ装着機構５１が、タグ装着機構５１の幅方向一側に複数の支持部５２（第１の支持部）及び複数の支持部５３（第３の支持部）を備え、タグ装着機構５１の幅方向他側に複数の支持部５４（第２の支持部）及び複数の支持部５５（第４の支持部）を備えている。
【００４３】
複数の支持部５２は、複数の支持部５３より前方に配置され、それぞれタグ装着機構５１の幅方向中心（右）に向かって突出した突起５２ａを有し、複数の支持部５３にも、それぞれタグ装着機構５１の幅方向中心（右）に向かって突出した突起５３ａが設けられている。
また、複数の支持部５４も、複数の支持部５５より前方に配置され、それぞれタグ装着機構５１の幅方向中心（左）に向かって突出した突起５４ａを有し、複数の支持部５５は、それぞれタグ装着機構５１の幅方向中心（左）に向かって突出した突起５５ａを備えている。
【００４４】
タグ装着機構５１は、タグ１１の幅方向一側を複数の支持部５２によって係止し、タグ１１の幅方向他側を複数の支持部５４によって係止して、タグ１１を保持することができる。
タグ装着機構５１に取り付けられたタグ１１は、幅方向一側が各突起５２ａより前側で複数の支持部５２に当接し、幅方向他側が各突起５４ａより前側で複数の支持部５４に当接する。
【００４５】
そして、タグ装着機構５１は、タグ２７の幅方向一側を複数の支持部５３によって係止し、タグ２７の幅方向他側を複数の支持部５５によって係止して、タグ２７を保持することができる。タグ装着機構５１に取り付けられたタグ２７は、幅方向一側が各突起５３ａより前側で複数の支持部５３に当接し、幅方向他側が各突起５５ａより前側で複数の支持部５５に当接する。
【００４６】
なお、複数の支持部５２及び複数の支持部５３を備えた上下に長い係止片５６、及び、複数の支持部５４及び複数の支持部５５を備えた上下に長い係止片５７は、ストレート片２０のリブ２４ａに連結された複数のブリッジ５８に接続されている。複数のブリッジ５８は上下に並べて配置され、それぞれ左右に長い。係止片５６は各ブリッジ５８の左側に連結され、係止片５７は各ブリッジ５８の右側に連結されている。
【００４７】
以上、本発明の実施の形態を説明したが、本発明は、上記した形態に限定されるものでなく、要旨を逸脱しない条件の変更等は全て本発明の適用範囲である。
例えば、タグは約１０ｍｍ幅のものと、約１２ｍｍ幅のものに限定されない。
また、タグ装着機構は、複数の第１の支持部、複数の第２の支持部及び複数の第３の支持部を備える必要はなく、例えば、一つの第１の支持部、一つの第２の支持部及び一つの第３の支持部を備えるようにしてもよい。更に、一つの第１の支持部に複数の突起を設けることができ、これは、第２、第３の支持部についても同じである。
そして、側面側タグ装着機構は、約１２ｍｍ幅のタグのみを取り付けられる設計になっているが、タグ装着機構と同様に、約１０ｍｍ幅のタグと約１２ｍｍ幅のタグを取り付けられる構造にすることもできる。
【符号の説明】
【００４８】
１０：ハンガー、１１：タグ、１２：タグ装着機構、１３、１４：支持部、１５：フック、１６：襟支持体、１７、１７ａ：肩支持体、１８：ズボン掛け体、１９：Ｕ字状片、２０：ストレート片、２１：曲線片、２２、２２ａ：貫通孔、２３：肉薄部、２４、２４ａ：リブ、２５、２５ａ：側面側タグ装着機構、２７：タグ、２８、２８ａ：突起、３０：ブリッジ、３１：係止片、３２、３３：補助片、３４：貫通孔、３５：支持部、３６〜３８：突起、３９：ガイド部、５０：ハンガー、５１：タグ装着機構、５２〜５５：支持部、５２ａ〜５５ａ：突起、５６、５７：係止片、５８：ブリッジ
【要約】      （修正有）【課題】幅の異なるタグを取り付け可能なハンガーを提供する。【解決手段】帯状のタグ１１を保持するタグ装着機構１２を有し、タグ装着機構１２の一側及び他側に、タグ１１の幅方向一側を係止する第１の支持部及びタグ１１の幅方向他側を係止する第２の支持部１４がそれぞれ形成されたハンガーであって、タグ装着機構１２は、タグ１１より幅が広い帯状のタグ２７の幅方向一側を、タグ装着機構１２の一側に形成された第３の支持部３５によって係止し、タグ２７の幅方向他側を、第２の支持部１４によって係止して、タグ２７を保持する。【選択図】図３【図１】
0005540144.tif 000002
【図２】
0005540144.tif 000003
【図３】
0005540144.tif 000004
【図４】
0005540144.tif 000005
【図５】
0005540144.tif 000006
【図６】
0005540144.tif 000007
【図７】
0005540144.tif 000008